(57)【特許請求の範囲】
【請求項１】
被仮収納部を備えた複数個の接続端子を収納した収納ケースをハウジングに内蔵する電気コネクタであって、
前記収納ケースは、複数の収納溝を並列し、これらの収納溝内に前記接続端子を個々に収納する収納部と、該収納部を覆う板状のカバー部とを有し、
前記各収納溝の先端部に前記接続端子の被仮収納部を仮収納する筒状の仮収納部を備えたことを特徴とする電気コネクタ。
【請求項２】
前記仮収納部は、前記収納溝の先端部に前記収納溝の先端部を覆う覆部を設けて形成したことを特徴とする請求項１に記載の電気コネクタ。
【請求項３】
前記接続端子は前方に雌型接続端子の受け用接続部を備えており、前記被仮収納部は前記受け用接続部の先端であることを特徴とする請求項１又は２に記載の電気コネクタ。
【請求項４】
前記接続端子は前方に雄型接続端子の挿入端の根元部を備えており、前記被仮収納部は前記根元部であることを特徴とする請求項１又は２に記載の電気コネクタ。
【請求項５】
前記カバー部は、前記仮収納部の外側の後縁にヒンジ部を介して、前記収納溝に対して開閉自在に設けられていることを特徴とする請求項１〜４の１項に記載の電気コネクタ。
【請求項６】
前記収納溝は前記収納ケースの両面に設けたことを特徴とする請求項１〜５の何れか１項に記載の電気コネクタ。
【請求項７】
前記収納ケースには、前記接続端子を所定位置に係止するための複数個の係止手段を設けたことを特徴とする請求項１〜６の何れか１項に記載の電気コネクタ。
【発明の詳細な説明】
【技術分野】
【０００１】
本発明は、複数個の小型の接続端子を収納ケースを介して装着する電気コネクタに関するものである。
【背景技術】
【０００２】
近年の例えば自動車産業等においては、軽量化を図るために使用される部品の小型化が強く要望されている。例えば、信号配線についても、多数のセンサが使用されるにつれ、その本数も多くなり、配線同士を接続する電気コネクタの小型化が必要となる。
【０００３】
この電気コネクタの小型化のためには、電気コネクタ内に装着する接続端子、電線も小型化、細径化しなくてはならない。最近では、接続径が１ｍｍ以下の接続端子も使用され始め、使用される電線の径も０．５ｍｍ程度のものが使用される。
【０００４】
このような電気コネクタの小型化により、従来のハウジング内において、接続端子を係止していたケースランスの形成が困難となり、他の手法で接続端子の抜け出しを防止する電気コネクタが必要となる。
【０００５】
特許文献１には、図１〜図７に示すように、平板状の収容部２６に２個の接続端子２１を収容し、この収容部２６上に蓋部を被着し、これらをハウジング本体４７に挿着するコネクタ構造が開示されている。
【先行技術文献】
【特許文献】
【０００６】
【特許文献１】特開２０１９−１３３９４４号公報
【発明の概要】
【発明が解決しようとする課題】
【０００７】
この特許文献１のコネクタ構造では、ケースランスを使用しておらず、接続端子を並べてからハウジング本体に装着し、ケースランスを使用しないことから小型化が可能である。特許文献１のコネクタ構造はＳＴＰ（シールドツイストペア）ケーブル専用であり、一対のケーブルを対象として収容している。
【０００８】
しかし、自動車等の配線においては、１個の電気コネクタ内に収容する接続端子の個数は、多数個となることが多く、２０個以上となる場合もあり、このような多数個の小型の接続端子を同時に特許文献１のように並べることは難しい。例えば、多数個の接続端子を並列に並べる際には、並べている途中で、先に並べた接続端子が収容部２６から飛び出してしまったりして、全ての接続端子を並べ終わるのに時間がかかる。
【０００９】
本発明の目的は、上述の課題を解消し、カバー部を用いた収納ケースに接続端子を仮収納しながら、多数個の接続端子を同時に容易に並べて配列し、ハウジング内に装着する電気コネクタを提供することにある。
【課題を解決するための手段】
【００１０】
上記目的を達成するための本発明に係る電気コネクタは、被仮収納部を備えた複数個の接続端子を収納した収納ケースをハウジングに内蔵する電気コネクタであって、前記収納ケースは、複数の収納溝を並列し、これらの収納溝内に前記接続端子を個々に収納する収納部と、該収納部を覆う板状のカバー部とを有し、前記各収納溝の先端部に前記接続端子の被仮収納部を仮収納する筒状の仮収納部を備えたことを特徴とする。
【発明の効果】
【００１１】
本発明に係る電気コネクタによれば、収納ケースの仮収納部に多数個の接続端子をその被仮収納部を用いて個々に仮収納しながら確実に配列して収納し、この収納ケースをハウジングに内装する。
【図面の簡単な説明】
【００１２】
【図１】収納ケースの一方のカバー部を開いた状態の斜視図である。
【図２】収納ケースの断面図である。
【図３】電線を接続した状態の雌型接続端子の斜視図である。
【図４】収納ケースに雌型接続端子を収納する説明図である。
【図５】雌型接続端子を収納した収納ケースの斜視図である。
【図６】雌型接続端子を収納しカバー部を閉止した状態の収納ケースの斜視図である。
【図７】ハウジングの斜視図である。
【図８】電線を接続した状態の雄型接続端子の斜視図である。
【図９】収納ケースに雄型接続端子を収納する説明図である。
【図１０】雄型接続端子を収納しカバー部を閉止した状態の収納ケースの斜視図である。
【図１１】相手側電気コネクタとの嵌合状態の断面図である。
【発明を実施するための形態】
【００１３】
図１は電気コネクタのハウジング内に内装する収納ケース１の斜視図であり、一方のカバー部を開いた状態を示し、図２はこの状態の断面図である。収納ケース１は合成樹脂材により一体に射出成型され、上下両面にそれぞれ接続端子を収納する収納部２と、接続端子を収納した収納部２を覆う板体状のカバー部３ａ、３ｂとから成り、カバー部３ａ、３ｂは収納部２の上下両面にそれぞれ薄肉のヒンジ部３ｃを介して取り付けられている。図１、図２においては、上部のカバー部３ａは開放した状態、下部のカバー部３ｂは閉止した状態を示している。この収納ケース１は、例えば高さ５．６ｍｍ、幅９．７５ｍｍ、長さ２０．８ｍｍとされている。
【００１４】
収納部２は厚さ０．８ｍｍの底板２ａにより上下に仕切られ、底板２ａの上下両面上の両側部には、高さ１．９ｍｍ、側板２ｂが壁状に設けられている。また、側板２ｂの間には側板２ｂよりも高さの低い複数個の厚さ０．２５ｍｍの仕切板２ｃが側板２ｂと平行に配列されている。雌型接続端子の収納部２への収納数を例えば片面８個とすれば、仕切板２ｃの数は片面で７個、両面で１４個となる。これらの仕切板２ｃ間は幅０．９ｍｍの収納溝２ｄとされ、片面に８個ずつの収納溝２ｄが並列され接続端子が収納される。
【００１５】
上下の接続端子は、空間の占有率の関係で、左右に半個ずつずれて収納されるので、収納溝２ｄは上下面で左右にずれた位置に設けられている。また、各収納溝２ｄ内の中央部の底板２ａ上には、接続端子に設けられた係止孔に嵌合する高さ０．２ｍｍ、幅０．３ｍｍの係止突起２ｅが設けられている。
【００１６】
収納部２の前部に設けられた前面板２ｆには、相手側の雄型接続端子を前方から挿入するために、高さ１．６ｍｍ、幅０．８５ｍｍの孔部２ｇが、上下８個ずつ収納溝２ｄに対応して、左右にずれて計１６個が開口されている。
【００１７】
収納部２の前端の前面板２ｆとヒンジ部３ｃとの間は覆部である覆板２ｈにより覆われ、覆板２ｈは前面板２ｆから２．７ｍｍの長さを持ち、厚さ１．４５ｍｍの板体により形成されている。各収納溝２ｄの前端には、底板２ａ、仕切板２ｃ、前面板２ｆ、覆板２ｈに囲まれた筒状の仮収納部２ｉが形成され、接続端子の収納ケース１内への装着時に、接続端子の被仮収納部を仮収納部２ｉ内に挿入して仮収納するようにされている。
【００１８】
板体状のカバー部３ａ、３ｂは収納部２に対して、ヒンジ部３ｃにより開閉自在に取り付けられており、カバー部３ａ、３ｂは収納部２の収納溝２ｄを覆うようにされている。カバー部３ａ、３ｂの厚みは覆板２ｈと同一であるが、略中央部に接続端子の接続部の後部を係止するための高さ０．５５ｍｍの係止段部３ｄが収納溝２ｄごとに収納溝２ｄ内に向けて突出されている。また、カバー部３ａ、３ｂの後端は厚さ０．８ｍｍの後面部３ｅとされ、この後面部３ｅには接続端子に接続した電線を通過させる開口部３ｆが形成されている。
【００１９】
なお実施例では、カバー部３ａ、３ｂは仮収納部２ｉの外側の後縁にヒンジ部３ｃを介して一体とされ、収納溝２ｄに対して開閉自在に設けられているが、カバー部３ａ、３ｂは収納部２に対して、別体とすることもできる。また、収納部２、収納溝２ｄは収納ケース１の片面のみに形成する場合もある。
【００２０】
図３は収納ケース１に装着される電線Ｗを接続した状態の雌型接続端子Ｔの斜視図である。雌型接続端子Ｔは前方に幅０．８ｍｍ、高さ１．８ｍｍの角筒状の受け用接続部Ｔａを有し、後方に電線Ｗを接続した圧着部Ｔｂを有している。この受け用接続部Ｔａの先端が被仮収納部となる。
【００２１】
接続部Ｔａ内には図４に示すように、固定接点部Ｔｃと別体の可動接触片Ｔｄが設けられており、これらの固定接点部Ｔｃと可動接触片Ｔｄの間で相手側接続端子の挿入端を挟着するようにされている。
【００２２】
この雌型接続端子Ｔを収納ケース１内に収納するには、図４に示すようにカバー部３ａを開け、接続端子Ｔの被仮収納部となる接続部Ｔａの先端を斜め下方に向けて、それぞれ収納溝２ｄの前方側に押し込むと、接続部Ｔａの先端は仮収納部２ｉ内に入り込み仮収納される。更に、接続端子Ｔの姿勢を水平にして収納溝２ｄに押し込むことにより、収納溝２ｄの係止突起２ｅが接続端子Ｔの下部に形成された係止孔に嵌合し、図５に示すように接続端子Ｔは収納溝２ｄ内に位置決めされる。なお、図４、図５においては、下部の収納溝２ｄには接続端子Ｔが既に収納されている状態を示している。
【００２３】
雌型接続端子Ｔが収納溝２ｄに収納されるごとに、接続部Ｔａは仮収納部２ｉ内に挿し込まれて仮収納状態を経るので、接続端子Ｔが収納作業時に、或いは既に収納した接続端子Ｔが収納溝２ｄから抜け出る虞れはない。
【００２４】
また、収納ケース１に接続端子Ｔを収納し、カバー部３ａ、３ｂを閉止すれば、収納部２の両側部に設けると共に、カバー部３ａ、３ｂの両側面に設けた図示しない錠止手段により、カバー部３ａ、３ｂは収納部２に対して錠止され、不時に開くことがないようにされている。従って、カバー部３ａ、３ｂは収納ケース１を裏返しても開くことがなく、接続端子Ｔが脱落することはない。
【００２５】
この接続端子Ｔの収納ケース１への収納状態において、接続部Ｔａの前端は孔部２ｇの周囲の前面板２ｆの一部に当接し、接続部Ｔａの後方に設けられた係止孔に収納溝２ｄに設けられた係止突起２ｅが嵌入し、カバー部３ａ、３ｂに設けられた係止段部３ｄが接続部Ｔａの後端の段部に係止する。このようにして、接続端子Ｔはこれら複数の係止手段により、収納ケース１内における特に前後方向への移動が規制され安定に保持される。図６はこのようにして、１６個の雌型接続端子Ｔを収容した状態の収納ケース１の斜視図である。
【００２６】
図７は収納ケース１を収容するハウジングの斜視図であり、ハウジング４は雌型接続端子Ｔを収納した状態の収納ケース１を収容し、相手側電気コネクタと嵌合し、内部の接続端子同士を接続させるものである。ハウジング４の図示しない後方が開放されており、収納ケース１が後方から挿入できるようにされている。
【００２７】
ハウジング４は高さ９．９ｍｍ、幅１２．５５ｍｍ、長さ２２．５ｍｍの略箱形の形状とされている。ハウジング４内には、収納ケース１を内蔵する収容室が設けられ、収容室の前方には、相手方の雄型接続端子をそれぞれ挿入するために１６個の開口部４ａが形成されている。これらの開口部４ａはハウジング４内の収納ケース１の孔部２ｇに連続し、かつ孔部２ｇとほぼ同等の大きさとされている。
【００２８】
このように、収納ケース１をハウジング４内に装着することにより、電気コネクタとして使用可能な状態となる。収納ケース１とハウジング４との間は図示しない錠止手段により錠止され、不時に収納ケース１がハウジング４から抜け出さないようにされている。
【００２９】
ハウジング４の上部には、可動の錠止レバー４ｂが設けられている。錠止レバー４ｂはハウジング４の前部に支軸を有し後端部は自由端とされ、中間部の上側に相手側ハウジングに錠止する鉤部４ｃが形成されている。
【００３０】
上述の実施例においては、電気コネクタに雌型接続端子Ｔを使用する場合を説明したが、図８に示すような雄型接続端子Ｔ’を適用することもできる。この雄型接続端子Ｔ’は被仮収納部となる筒状の根元部Ｔｅの前方に、相手側の雌型接続端子Ｔの接続端Ｔａ内に挿入するピン状の挿入端Ｔｆを備え、根元部Ｔｅの後端は段部とされている。この場合の雄型接続端子Ｔ’の幅寸法等は雌型接続端子Ｔとほぼ同等とされているが、挿入端Ｔｆの長さは例えば７ｍｍ、幅０．５５ｍｍとされている。
【００３１】
雄型接続端子Ｔ’を収納する収納ケース１’は、雌型接続端子Ｔの場合の収納ケース１とほぼ同様であるが、挿入端Ｔｆを挿入するための前面板２ｆの孔部２ｇの寸法、係止突起２ｅ、カバー部３ａ、３ｂの係止段部３ｄの位置が若干異なっている。
【００３２】
雄型接続端子Ｔ’をこの収納ケース１’内に収納するには、図９に示すように、雌型接続端子Ｔと同様に、斜め方向に向けて挿入端Ｔｆを収納溝２ｄ内に挿入して、挿入端Ｔｆを仮収納部２ｉを経て前面板２ｆの孔部２ｇから収納ケース１’の前方に突出させ、根元部Ｔｅを被仮収納部として仮収納部２ｉ内に仮収納する。更に、雄型接続端子Ｔ’を下段のように水平にして収納溝２ｄ内に載置し、カバー部３ａ、３ｂを閉止する。この状態で、雄型接続端子Ｔ’の根元部Ｔｅの後端の端部は、カバー部３ａ、３ｂの係止段部３ｄに係止され、根元部Ｔｅに設けられた係止孔に係止突起２ｅが嵌合する。
【００３３】
図１０は雄型接続端子Ｔ’を収納した状態の収納ケース１の斜視図であり、収納ケース１’の前方に雄型接続端子Ｔ’の挿入端Ｔｆが突出されている。なお、雄型接続端子Ｔ’は本来では、１６個を装着するようになっているが、図１０では４個のみを図示し他を省略している。
【００３４】
図１１は雌型接続端子Ｔを装着したハウジング４を相手側の電気コネクタと結合した状態の断面図であり、相手側コネクタのハウジング５内には、収納ケース１を介して雄型接続端子Ｔ’が装着されている。ハウジング５はハウジング４を囲む枠部５ａを有すると共に、枠部５ａの上方に、ハウジング４の錠止レバー４ｂと共働して、ハウジング４との間の錠止を行う錠止溝５ｂを有する被錠止部５ｃが設けられている。
【００３５】
相手側のハウジング５をハウジング４に前方から嵌合すると、ハウジング５内の雄型接続端子Ｔ’の挿入端Ｔｆは、ハウジング４の開口部４ａ、収納ケース１の孔部２ｇを経て、雌型接続端子Ｔの接続部Ｔａ内に挿入される。挿入端Ｔｆは雌型接続端子Ｔの接続部Ｔａ内において、固定接点部Ｔｃと弾発性を有する可動接触片Ｔｄとの間に挟着され、雄型接続端子Ｔ’と雌型接続端子Ｔとの電気的な接続がなされる。
【００３６】
この際に、ハウジング４の錠止レバー４ｂの外側に位置する相手側のハウジング５の被錠止部５ｃは、嵌合に際して錠止レバー４ｂを押し下げながら入り込み、被錠止部５ｃの錠止溝５ｂに錠止レバー４ｂの鉤部４ｃが嵌合すると、ハウジング５は進入を停止し、ハウジング４の錠止レバー４ｂは元の位置に復元し、ハウジング５の被錠止部５ｃとの錠止がなされる。これにより、ハウジング４、５同士は不時に分離することなく、電気コネクタ同士の接続が行われる。
【００３７】
なお、ハウジング４とハウジング５との嵌合を外すには、錠止レバー４ｂの自由端を下方に押し下げて、鉤部４ｃを錠止溝５ｂから外して、ハウジング４から相手側ハウジング５を相対的に引き抜けばよい。
【００３８】
なお、本実施例における前後、上下、左右の用語は、図面の説明のために用いており、実際の部材はこれらの用語によって制約されるものではない。
【符号の説明】
【００３９】
１、１’収納ケース
２  収納部
２ａ  底板
２ｃ  仕切板
２ｄ  収納溝
２ｅ  係止突起
２ｉ  仮収納部
３ａ、３ｂ  カバー部
４、５  ハウジング
Ｔ、Ｔ’  接続端子
Ｔａ  接続部
Ｔｅ  根元部
Ｔｆ  挿入端
【要約】
【課題】収納ケース内に多数個の接続端子を確実に配列し、この収納ケースをハウジングに内装可能とする。
【解決手段】収納ケース１は、前端に接続部を備えた雌型接続端子Ｔを収納溝２ｄ内に沿って並列に配置する収納部２と、収納部２を覆うカバー部３とを有し、各収納溝２ｄの前方に、仮収納のために雌型接続端子Ｔの接続部Ｔａの先端を挿入する筒状の仮収納部２ｉを備えている。接続端子Ｔを収納部２に収納するには、接続端子Ｔを斜め方向から収納溝２ｄに押し込み、接続部Ｔａの先端を被仮収納部として仮収納部２ｉに挿入して仮収納し、更に接続端子Ｔの姿勢を水平にして収納溝２ｄに収納する。
【選択図】図４【図１】
0006872663.tif 000002
【図２】
0006872663.tif 000003
【図３】
0006872663.tif 000004
【図４】
0006872663.tif 000005
【図５】
0006872663.tif 000006
【図６】
0006872663.tif 000007
【図７】
0006872663.tif 000008
【図８】
0006872663.tif 000009
【図９】
0006872663.tif 000010
【図１０】
0006872663.tif 000011
【図１１】
0006872663.tif 000012